(57)【要約】【課題】バイザ本体の表面上に蓋体が取付けられた容易な構造であって、その蓋体が有効に利用されている車両用サンバイザを提供する。【解決手段】バイザ本体２の表面上に、同表面の第一部を覆う位置と第二部を覆う位置とに配置変換可能に蓋体３が設けられている。そしてバイザ本体２の第一部には、バイザ本体の厚み方向に透視でき、前方を透視可能とする透視部２４が設けられている。またバイザ本体２の第二部には、ミラー４０、カードホルダー５などの付属体が配設されている。【選択図】        図１
2004196022.tif 000002
【特許請求の範囲】
【請求項１】
バイザ本体の表面上に、同表面の第一部を覆う位置と第二部を覆う位置とに配置変換可能に蓋体が設けられ、
前記バイザ本体の第一部には、前記バイザ本体の厚み方向に透視でき、前方を透視可能とする透視部が設けられ、前記バイザ本体の第二部には、ミラー、カードホルダー、小物入れなどの付属体が配設されている車両用サンバイザ。
【請求項２】
バイザ本体の表面上に、同表面の第一部を覆う位置と第二部を覆う位置とに反転可能に蓋体が設けられ、
前記バイザ本体の第一部には、前記バイザ本体の厚み方向に透視でき、前方を透視可能とする透視部が設けられ、前記蓋体には、前記第一部を覆う位置に配置された際の露出側面にミラー、カードホルダー、小物入れ等の付属体が配設されている車両用サンバイザ。
【請求項３】
請求項１または２に記載の車両用サンバイザであって、
バイザ本体に設けられた凹部の底面に第一部と第二部が設けられ、蓋体が、前記第一部を覆う位置から反転して、前記第二部を覆う位置に配置変換し、かつ前記第一部を覆う位置と前記第二部を覆う位置の両位置において前記凹部内に収納されることを特徴とする車両用サンバイザ。
【発明の詳細な説明】
【０００１】
【発明の属する技術分野】
この発明は、自動車などの車両に取付けられる車両用サンバイザに関する。
【０００２】
【従来の技術】
車両用サンバイザは、種々のタイプのものが知られていた。例えば下記の特許文献１に開示されている車両用サンバイザが知られていた。
この開示発明によるとバイザ本体は、中央部に開口窓を有し、その開口窓を塞ぐようにハーフミラーが設けられている。またバイザ本体には、スライド可能な蓋体を有し、その蓋体は、ハーフミラーの裏側を覆う位置と、ハーフミラーの裏側を覆わない位置とに配置変換可能にバイザ本体に取付けられていた。
したがって蓋体がハーフミラーの裏側を覆うことで、ハーフミラーは、ミラーとして利用されていた。そして蓋体がハーフミラーの裏側を覆わない位置に配置変換されることで、ハーフミラーは、バイザ本体の厚み方向に透視でき、前方を透視可能とする透視部（シースルー材）として利用されていた。
【０００３】
【特許文献１】
特開２００１−２４６９３３号公報
【０００４】
【発明が解決しようとする課題】
しかし特許文献１にかかる車両用サンバイザは、比較的高価な材料であるハーフミラーを利用する必要があった。また蓋体は、ハーフミラーの表側から操作することで、ハーフミラーの裏側を移動する構造であった。そのため車両用サンバイザは、比較的複雑な構造になっていた。
そこで本発明は、バイザ本体の表面上に蓋体が取付けられた容易な構造であって、その蓋体が有効に利用されている車両用サンバイザを提供することを課題とする。
【０００５】
【課題を解決するための手段】
前記課題を解決するために本発明は、上記各請求項に記載の通りの構成を備える車両用サンバイザであることを特徴とする。
すなわち請求項１に記載の発明によれば、バイザ本体の表面上に、同表面の第一部を覆う位置と第二部を覆う位置とに配置変換可能に蓋体が設けられている。そしてバイザ本体の第一部には、バイザ本体の厚み方向に透視でき、前方を透視可能とする透視部が設けられている。またバイザ本体の第二部には、ミラー、カードホルダー、小物入れなどの付属体が配設されている。
【０００６】
すなわち蓋体は、バイザ本体の表面上に取付けられている。したがって蓋体は、容易な構造によってバイザ本体に取付けられている。
また蓋体は、バイザ本体の第一部を覆う位置に配置されることで透視部を閉塞する。そして第二部を覆う位置に配置変換されることで透視部を露出する。したがって蓋体は、透視部を露出することで、バイザ本体の一部を透視可能な状態にし、透視部を塞ぐことでバイザ本体の遮光性を高くする。
【０００７】
また蓋体は、第二部を覆う位置に配置されることで付属体を閉塞する。そして第一部を覆う位置に配置変換されることで付属体を露出する。したがって付属体がミラーであれば、蓋体は、ミラーを使用する際にミラーを露出し、ミラーを覆うことでミラーを外傷から保護する。
また付属体がカードホルダーであれば、蓋体は、カードホルダーを使用する際にカードホルダーを露出し、使用しない際にカードホルダーを覆う。そのため蓋体は、カードホルダーを覆うことでカードホルダーに保持されたカードを隠し、車上狙い等の盗難からカードを保護する。
また付属体が小物入れであれば、蓋体は、小物入れに小物を出し入れする際に小物入れを露出し、使用しない際に小物入れを覆い隠す。
【０００８】
したがって蓋体は、透視部の閉塞・露出に利用されると同時に、付属体の閉塞・露出に利用される。そのため蓋体は、有効に利用される。
なお透視部は、透視できる形態であればどんな形態でもよい。例えば、複数の貫通孔を備える形態でもよいし、半透明の板材から形成される形態でもよい。
また配置変換可能とは、配置変換すればどんな移動方法でも良い。例えば、バイザ本体の表面上を平行移動（スライド）してもよいし、あるいは回動移動してバイザ本体の表面上を反転移動してもよい。
【０００９】
請求項２に記載の発明によれば、バイザ本体の表面上に、同表面の第一部を覆う位置と第二部を覆う位置とに反転可能に蓋体が設けられている。そしてバイザ本体の第一部には、バイザ本体の厚み方向に透視でき、前方を透視可能とする透視部が設けられている。また蓋体には、第一部を覆う位置に配置された際の露出側面にミラー、カードホルダー、小物入れ等の付属体が配設されている。
すなわち蓋体は、バイザ本体の表面上に取付けられている。したがって蓋体は、容易な構造によってバイザ本体に取付けられている。
【００１０】
また蓋体は、バイザ本体の第一部を覆う位置に配置されることで透視部を閉塞する。そして第二部を覆う位置に反転されることで透視部を露出する。したがって蓋体は、透視部を露出することで、バイザ本体の一部を透視可能な状態にし、透視部を塞ぐことでバイザ本体の遮光性を高くする。
また蓋体は、第二部を覆う位置に配置されることで、付属体をバイザ本体側に配設して覆い隠す。そして第一部を覆う位置に反転されることで付属体を露出する。したがって付属体がミラーであれば、蓋体は、ミラーを使用する際にミラーを露出し、ミラーを覆うことでミラーを外傷から保護する。
したがって蓋体は、透視部の閉塞・露出に利用されると同時に、付属体の閉塞・露出に利用される。そのため蓋体は、有効に利用される。
【００１１】
請求項３に記載の発明によれば、バイザ本体に設けられた凹部の底面に第一部と第二部が設けられている。そして蓋体が、第一部を覆う位置から反転して、第二部を覆う位置に配置変換し、第一部を覆う位置と第二部を覆う位置の両位置において凹部内に収納される。
したがって蓋体は、バイザ本体に反転可能に取付けられている。そして反転した前後の両位置において凹部内に収納される。そのため蓋体は、バイザ本体から突出せず、見栄えが良く、またバイザ本体の使用勝手も良くなる。
【００１２】
【発明の実施の形態】
（実施の形態１）
実施の形態１を図１〜５にしたがって説明する。
車両用サンバイザ１は、図１に示すように略板状のバイザ本体２と、バイザ本体２を回動可能に支持する支軸１０を有する。
支軸１０は、図１に示すように縦軸１０ａと横軸１０ｂを備えた略Ｌ字状に形成されている。そして横軸１０ｂにバイザ本体２が回動可能に装着されている。また縦軸１０ａには、取付ブラケット１１が回動可能に取付けられ、取付ブラケット１１が車室天井面に装着される。
【００１３】
したがってバイザ本体２は、横軸１０ｂ周りに回動されることで、車室天井面に沿う収納位置と、フロントガラスに沿うフロント位置とに回動する。またバイザ本体２は、支軸１０を縦軸１０ａ周りに回動させることでフロント位置とサイドガラスに沿ったサイド位置とに回動する。
バイザ本体２は、図１に示すようにバイザ本体２の表面上に取付けられた蓋体３を有する。蓋体３は、バイザ本体２をフロント位置にした際の乗員対向面側に設けられ、左右両端に回動軸３１を有する。そして回動軸３１がバイザ本体２に回動可能に取付けられている。したがって蓋体３は、バイザ本体２の表面上を上下方向に反転し、反転することで配置変換する（図３参照）。
【００１４】
蓋体３は、図３に示すように下方に配置された際に、バイザ本体２の下側一部（第一部）を覆い、図１に示すように上方に配置された際に、バイザ本体２の上側一部（第二部）を覆う。
そしてバイザ本体２の下側一部（第一部）には、図１に示すように前方を透視可能とする透視部２４が設けられている。
またバイザ本体２の上側一部（第二部）には、図３に示すようにミラー４０や一個以上のカードホルダー５が配設されている。
なおミラー４０とカードホルダー５は、請求項に記載の付属体に相当する。
【００１５】
バイザ本体２は、図２に示すように厚み方向に重ねられた二つの構成体２０，２１を主体に構成されている。
第一構成体２０は、バイザ本体２の一側面（裏面）を構成し、第二構成体２１は、バイザ本体２の他側面（表面）を構成する。
第一構成体２０は、バイザ本体２の外周を構成する枠部２０ａと、枠部２０ａの枠内を塞ぐ板状の透視部２４を一体状に備える。また第二構成体２１は、バイザ本体２の外周に沿った枠形状を有する。そして第二構成体２１と枠部２０ａは、協働してバイザ本体２の外周部を中空状に形成する。
【００１６】
また第二構成体２１は、図２に示すように開口窓２１ｂを有する。そして開口窓２１ｂは、第二構成体２１の下側半分の中央部を開口し、第一構成体２０の透視部２４を露出する。換言すると透視部２４が開口窓２１ｂを閉塞する。
透視部２４は、図２に示すようにバイザ本体２の厚み方向に貫通する複数の貫通孔２０ｃと、貫通孔２０ｃを有さず、光を遮断する遮断部２０ｂとを有する。したがって透視部２４は、所定の透視性を備えるとともに所定の遮光性を備える構成になっている。
【００１７】
したがってバイザ本体２の下側中央部は、透視部２４によって厚み方向に透視でき、前方を透視できる構造になっている。
ところで従来、前方の視界性が望まれる理由としては、主に信号を確認することにあった。そこで調査したところ、信号は、バイザ本体２の下側半分に表れることが多いことがわかった。
そこで本形態では、透視部２４を図１に示すようにバイザ本体２の下側半分に設けると同時に、バイザ本体２の下端縁に沿って左右両端近傍まで延出させている。
【００１８】
また第二構成体２１は、図２に示すように上方の位置（第二部を覆う位置）に配置された蓋体３を収納する凹部２１ａを有する。
またバイザ本体２は、図４に示すように下方の位置（第一部を覆う位置）に配置された蓋体３を収納する凹部２１ｆを有する。そして凹部２１ａと凹部２１ｆは、隣接し、一つの大きな凹部２ａを形成する。
【００１９】
凹部２ａは、図１に示すようにバイザ本体２の中央位置に設けられている。そして凹部２ａ内に蓋体３が配設され、蓋体３は、凹部２ａの底面の上側略半分、あるいは下側略半分を覆う形状を有する。また蓋体３の回動軸３１は、凹部２ａの側壁に回動可能に支持されている。
したがって蓋体３は、回動軸３１を軸中心に反転することで底面下側半分（第一部）、あるいは底面上側半分（第二部）を選択的に覆う。また蓋体３は、図２，４に示すようにどちらの位置においても凹部２ａ内に収納される。
またバイザ本体２は、図１に示すように蓋体３の端縁を露出するために、凹部２ａの側壁の一部を退避させた退避部２１ｅを有する。したがって蓋体３は、退避部２１ｅを利用して把持されやすく、反転されやすい。
【００２０】
また蓋体３とバイザ本体２の間には、蓋体３を図１の位置と図３の位置で保持する保持構造が設けられている。すなわち保持構造は、図２に示すようにバイザ本体２の周端から突出する突部３０と、バイザ本体２に設けられた嵌合部２１ｃ，２１ｄを備える。そして嵌合部２１ｃ，２１ｄは、凹部２ａの側壁の一部を凹欠することで形成されている。
またミラー４０は、図３に示すように凹部２ａの底面に取付けられた枠体４１によって支持され、枠体４１を介してバイザ本体２に取付けられている。
【００２１】
またカードホルダー５は、凹部２ａの底面に取付けられている。カードホルダー５は、図５に示すようにバイザ本体２に設けられた開口窓２１ｇを覆う口枠体５０を有する。そして口枠体５０は、カードＣを出し入れするための開口部５０ａを有する。
またカードホルダー５は、開口部５０ａから挿入されたカードＣをバイザ本体２内で保持する保持部５１を有する。保持部５１は、第二構成体２１の裏側の面に取付けられ、第二構成体２１と協働して略箱型のカード収納部を形成する。
【００２２】
以上のようにして車両用サンバイザ１が形成される。
すなわち蓋体３は、バイザ本体２の表面上に取付けられている。したがって蓋体３は、容易な構造によってバイザ本体２に取付けられている。
また蓋体３は、バイザ本体２の第一部を覆う位置に配置されることで透視部２４を閉塞する（図３参照）。そして蓋体３は、第二部を覆う位置に配置変換（反転）されることで透視部２４を露出する。したがって蓋体３は、透視部２４を露出することで、バイザ本体２の一部を透視可能な状態にし、透視部２４を塞ぐことでバイザ本体２の遮光性を高くする（全遮光状態にする）。
【００２３】
また蓋体３は、バイザ本体２の第二部を覆う位置に配置されることでミラー４０やカードホルダー５の付属体を閉塞する（図１参照）。そして蓋体３は、第一部を覆う位置に配置変換されることで付属体を露出する（図３参照）。したがって蓋体３は、ミラー４０を使用する際にミラー４０を露出し、ミラー４０を覆うことでミラー４０を外傷から保護する。
また蓋体３は、カードホルダー５を使用する際にカードホルダー５を露出し、使用しない際にカードホルダー５を覆う。そのため蓋体３は、カードホルダー５を覆うことでカードホルダー５に保持されたカードＣを隠し、車上狙い等の盗難からカードＣを保護する。
【００２４】
したがって蓋体３は、透視部２４の閉塞・露出に利用されると同時に、付属体の閉塞・露出に利用される。そのため蓋体３は、有効に利用される。
また蓋体３は、バイザ本体２に反転可能に取付けられている。そして反転した前後の両位置において凹部２ａ内に収納される。そのため蓋体３は、バイザ本体２から厚み方向に突出せず、見栄えが良く、またバイザ本体２の使用勝手も良くなる。
【００２５】
また蓋体３は、ミラー４０などを有していない。そのため蓋体３は、軽量化を図ることで、操作性が向上されている。
また図３に示すようにミラー４０を露出した場合は、透視部２４が蓋体３によって覆われる。したがって透視部２４から光が入射しない状態でミラー４０を利用でき、ミラー４０を使用しやすい。
【００２６】
（実施の形態２）
実施の形態２を図６〜９にしたがって説明する。
実施の形態２は、実施の形態１とほぼ同様に形成されている。しかしミラーとカードホルダーが、バイザ本体ではなく、蓋体に配設されている点が実施の形態１と異なっている。
【００２７】
蓋体３は、実施の形態１と同様にバイザ本体２の表面上に反転可能に設けられている。そして蓋体３は、図８に示すように下方に配置された際に、バイザ本体２の下側一部（第一部）を覆い、図６に示すように上方に配置された際に、バイザ本体２の上側一部（第二部）を覆う。
そしてミラー４０と複数（例えば二つ）のカードホルダー５は、図８に示すように蓋体３が第一部を覆う位置に配置された際の露出側面に設けられている。換言するとミラー４０とカードホルダー５は、図６に示すように蓋体３が第二部を覆う位置に配置された際の蓋体３の裏側面に設けられている。
【００２８】
ミラー４０は、図７に示すように蓋体３に取付けられた枠体４１に支持され、枠体４１を介して蓋体３に取付けられている。
またカードホルダー５は、図５に示す実施の形態１のカードホルダー５と同様に形成されている。すなわちカードホルダー５は、口枠体５０と保持部５１を有し（図８参照）、これらが蓋体３に取付けられている。
なお蓋体３は、カードホルダー５を設けるために蓋体３の一部あるいは全部が中空板状に形成されている。
またバイザ本体２の下側一部（第一部）には、透視部２４が設けられている。
【００２９】
以上のようにして実施の形態２が形成される。
すなわち蓋体３は、バイザ本体２の表面上に取付けられている。したがって蓋体３は、容易な構造によってバイザ本体２に取付けられている。
また蓋体３は、バイザ本体２の第一部を覆う位置に配置されることで透視部２４を閉塞する（図８参照）。そして蓋体３は、第二部を覆う位置に反転されることで透視部２４を露出する（図６参照）。したがって蓋体３は、透視部２４を露出することで、バイザ本体２の一部を透視可能な状態にし、透視部２４を塞ぐことでバイザ本体２の遮光性を高くする。
【００３０】
また蓋体３は、バイザ本体２の第二部を覆う位置に配置されることでミラー４０とカードホルダー５の付属体を閉塞する（図６参照）。そして蓋体３は、第一部を覆う位置に反転されることで付属体を露出する（図８参照）。したがって蓋体３は、ミラー４０を使用する際にミラー４０を露出し、ミラー４０ーを覆うことでミラー４０を外傷から保護する。
【００３１】
また蓋体３は、カードホルダー５を使用する際にカードホルダー５を露出し、使用しない際にカードホルダー５を覆う。そのため蓋体３は、カードホルダー５を覆うことでカードホルダー５に保持されたカードＣを隠し、車上狙い等の盗難からカードＣを保護する。
したがって蓋体３は、透視部２４の閉塞・露出に利用されると同時に、付属体の閉塞・露出に利用される。そのため蓋体３は、有効に利用される。
またミラー４０とカードホルダー５は、蓋体３が下方へ下げられた位置において露出され、蓋体３とともに下方へ下りて目線に近くなる。したがってミラー４０とカードホルダー５の使用勝手が良い。
【００３２】
（他の実施の形態）
また本発明は、実施の形態１，２に限定されず、以下の形態であってもよい。（１）すなわち実施の形態１，２の透視部は、板材部分に複数の貫通孔を備えることで形成される形態であった。しかし透視部が、格子状の部材や網状の部材から形成されることで、バイザ本体の厚み方向に貫通する複数の貫通孔を備える形態であってもよい。あるいは透視部が半透明の板材から形成される形態であってもよい。
（２）また実施の形態１では、バイザ本体の表面上に蓋体が反転可能に取り付けられていた。しかし蓋体がバイザ本体の表面上を並行移動（スライド）可能に取付けられ、図１，３に示す両位置に配置変換する形態であってもよい。
（３）また実施の形態１，２では、ミラーとカードホルダーが付属体としてバイザ本体または蓋体に配設されていた。しかし小物入れが付属体としてバイザ本体または蓋体に配設される形態であってもよい。この場合、蓋体は、小物入れに小物を出し入れする際に小物入れを露出し、使用しない際に小物入れを覆い隠す。（４）また実施の形態１，２では、ミラーとカードホルダーが付属体として設けられ、（３）では小物入れが付属体として配設される形態であった。しかし車両用サンバイザは、これらの付属体のうちの一つのみを有する形態であってもよいし、あるいはこれらを複数備える形態であってもよい。
（５）また実施の形態１，２では、カードホルダーが口枠体（５０）と保持部（５１）を有していた。しかし実施の形態１のカードホルダーに代えて、カードホルダーが、バイザ本体の表面の一部を開口する開口窓と、開口窓から差し込まれたカードをバイザ本体内で保持する保持部とによって形成される形態であって、口枠体を有さない形態であってもよい。
あるいは実施の形態２のカードホルダーに代えて、カードホルダーが、蓋体の一側面の一部を開口する開口窓と、開口窓から差し込まれたカードを蓋体内で保持する保持部とによって形成され、口枠体を有さない形態であってもよい。
（６）また実施の形態１，２では、カードホルダーの構成部材である保持部（５１）が、バイザ本体または蓋体と別体に形成され、バイザ本体または蓋体に取付けられる形態であった。しかし実施の形態１の保持部に代えて、保持部がバイザ本体を構成する構成体の一部からバイザ本体の中空部に突出するリブなどの突出片によって形成され、バイザ本体に一体状に形成される形態であってもよい。
あるいは実施の形態２の保持部に代えて、保持部が蓋体を構成する構成体の一部から蓋体の中空部に突出するリブなどの突出片によって形成され、蓋体に一体状に形成される形態であってもよい。
【００３３】
また本発明は、次の形態のものであってもよい。すなわち「バイザ本体の表面上に、同表面の第一部を覆う位置と第二部を覆う位置とに反転可能に蓋体が設けられ、前記第一部には、前記バイザ本体の厚み方向に透視でき、前方を透視可能とする透視部が設けられている車両用サンバイザ」である。この発明によると、蓋体は、バイザ本体の表面上に取付けられている。したがって蓋体は、容易な構造によってバイザ本体に取付けられる。
また蓋体は、バイザ本体の第一部を覆う位置に配置されることで透視部を閉塞する。そして蓋体は、第二部を覆う位置に配置変換されることで透視部を露出する。したがって蓋体は、透視部を露出することで、バイザ本体の一部を透視可能な状態にし、透視部を塞ぐことでバイザ本体の遮光性を高くする。
【００３４】
【発明の効果】
本発明に係る車両用サンバイザによれば、バイザ本体の表面上に蓋体が取付けられた容易な構造であって、その蓋体が有効に利用されている。
【図面の簡単な説明】
【図１】車両用サンバイザと正面図である。
【図２】図１のＡ−Ａ線断面矢視図である。
【図３】車両用サンバイザと正面図である。
【図４】図３のＢ−Ｂ線断面矢視図である。
【図５】図３のＣ−Ｃ線断面矢視図である。
【図６】実施の形態２に係る車両用サンバイザの正面図である。
【図７】図６のＤ−Ｄ線断面矢視図である。
【図８】実施の形態２に係る車両用サンバイザの正面図である。
【図９】図８のＥ−Ｅ線断面矢視図である。
【符号の説明】
１…車両用サンバイザ
２…バイザ本体
２ａ…凹部
３…蓋体
５…カードホルダー（付属体）
２４…透視部
４０…ミラー（付属体）
【図１】
2004196022.tif 000003
【図２】
2004196022.tif 000004
【図３】
2004196022.tif 000005
【図４】
2004196022.tif 000006
【図５】
2004196022.tif 000007
【図６】
2004196022.tif 000008
【図７】
2004196022.tif 000009
【図８】
2004196022.tif 000010
【図９】
2004196022.tif 000011